Podtech/llm-jp-corpus-v4-ja_patent huggingface dataset:
【手続補正書】
【提出日】平成22年9月28日(2010.9.28)
【手続補正１】
【補正対象書類名】明細書
【補正対象項目名】０００１
【補正方法】変更
【補正の内容】
【０００１】
本発明は、たとえば、パチンコ遊技機やコイン遊技機あるいはスロットマシン等で代表される遊技機に関する。詳しくは、遊技機の遊技状態を制御する遊技制御装置と、表示状態が変化可能な可変表示部を複数有する可変表示装置とを含み、前記複数の可変表示部の表示結果が予め定められた特定の表示態様となった場合に遊技者にとって有利な特定遊技状態に制御可能となる遊技機に関する。
【手続補正２】
【補正対象書類名】明細書
【補正対象項目名】０００６
【補正方法】変更
【補正の内容】
【０００６】
請求項１に記載の本発明は、遊技機の遊技状態を制御する遊技制御装置と、表示状態が変化可能な可変表示部を複数有する可変表示装置とを含み、前記複数の可変表示部の表示結果が予め定められた特定の表示態様となった場合に遊技者にとって有利な特定遊技状態に制御可能となる遊技機であって、
前記特定の表示態様を導出表示させるか否かを決定する特定表示態様決定手段と、
前記複数の可変表示部を可変表示動作させた後表示結果を導出表示させる制御を行なう可変表示制御手段とを含み、
前記可変表示制御手段は、
前記複数の可変表示部の可変表示動作の停止順序を決定するために用いられる数値情報を更新する数値情報更新手段と、
該数値情報更新手段により更新された数値情報を用いて前記複数の可変表示部の可変表示動作の停止順序を決定し、該決定した停止順序となるように前記複数の可変表示部の可変表示動作を表示制御する停止順序制御手段とを含むことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
[作用]
請求項１に記載の本発明によれば、特定表示態様決定手段の働きにより、特定の表示態様を導出表示させるか否かが決定される。可変表示制御手段の働きにより、複数の可変表示部が可変表示動作した後表示結果を導出表示させる制御が行なわれる。数値情報更新手段の働きにより、複数の可変表示部の可変表示動作の停止順序を決定するために用いられる数値情報が更新される。停止順序制御手段の働きにより、数値情報更新手段により更新された数値情報を用いて複数の可変表示部の可変表示動作の停止順序が決定され、該決定された停止順序となるように複数の可変表示部の可変表示動作が表示制御される。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
請求項１に関しては、数値情報更新手段により更新された数値情報を用いて複数の可変表示部の可変表示動作の停止順序が決定し、該決定された停止順序となるように複数の可変表示部の可変表示動作が表示制御されるために、停止順序が変化に富んだ面白味のあるものになる。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】特許請求の範囲
【補正対象項目名】全文
【補正方法】変更
【補正の内容】
【特許請求の範囲】
【請求項１】
遊技機の遊技状態を制御する遊技制御装置と、表示状態が変化可能な可変表示部を複数有する可変表示装置とを含み、前記複数の可変表示部の表示結果が予め定められた特定の表示態様となった場合に遊技者にとって有利な特定遊技状態に制御可能となる遊技機であって、
前記特定の表示態様を導出表示させるか否かを決定する特定表示態様決定手段と、
前記複数の可変表示部を可変表示動作させた後表示結果を導出表示させる制御を行なう可変表示制御手段とを含み、
前記可変表示制御手段は、
前記複数の可変表示部の可変表示動作の停止順序を決定するために用いられる数値情報を更新する数値情報更新手段と、
該数値情報更新手段により更新された数値情報を用いて前記複数の可変表示部の可変表示動作の停止順序を決定し、該決定した停止順序となるように前記複数の可変表示部の可変表示動作を表示制御する停止順序制御手段とを含むことを特徴とする、遊技機。
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
第１の色のインクを吐出するための第１のノズルおよび第２の色のインクを吐出するための第２のノズルを有する記録ヘッドを往路方向および復路方向に走査させることにより、記録媒体に画像を記録する記録装置において、
前記第１のノズルについて、前記往路方向の走査における記録位置に対する前記復路方向の走査における記録位置の相対的なずれを調整するための調整値を取得するためのパターンを前記記録媒体上に前記記録ヘッドに記録させる制御手段と、
前記記録媒体上に記録されたパターンの光学特性を検出するための光学センサと、
前記光学センサの検出結果に基づいて、前記第１のノズルの前記調整値を設定する設定手段とを備え、
前記光学センサによる前記第１の色のインクの検出精度は所定の検出精度以上であり、
前記光学センサによる前記第２の色のインクの検出精度は前記所定の検出精度未満であり、
前記設定手段は、前記第２のノズルの前記調整値を前記第１のノズルの前記調整値で代用することを特徴とする記録装置。
【請求項２】
前記光学センサによる前記第１の色のインクで記録された前記記録媒体の部分における検出結果と、前記光学センサによるインクで記録されていない前記記録媒体の部分における検出結果との差が所定量以上であり、
前記光学センサによる前記第２の色のインクで記録された前記記録媒体の部分における検出結果と、前記光学センサによるインクでの記録がされていない前記記録媒体の部分における検出結果との差が前記所定量未満であることを特徴とする請求項１に記載の記録装置。
【請求項３】
前記第１のノズルから吐出される前記第１の色のインクの吐出量は、前記第２のノズルから吐出される第２の色のインクの吐出量と等しいことを特徴とする請求項１または２に記載の記録装置。
【請求項４】
前記第１のノズルおよび第２のノズルは、前記記録ヘッドの同一チップに備えられていることを特徴とする請求項１ないし３のいずれかに記載の記録装置。
【請求項５】
前記光学センサは、赤色光を照射して前記パターンの光学特性を検出するセンサであることを特徴とする請求項１ないし４のいずれかに記載の記録装置。
【請求項６】
前記第１の色はブラックであり、前記第２の色はイエローであることを特徴とする請求項１ないし５のいずれかに記載の記録装置。
【請求項７】
前記第１の色はシアンであり、前記第２の色はライトマゼンタであることを特徴とする請求項１ないし５のいずれかに記載の記録装置。
【請求項８】
前記第１の色はライトシアンであり、前記第２の色はマゼンタであることを特徴とする請求項１ないし５のいずれかに記載の記録装置。
【請求項９】
第１の色のインクを吐出するための第１のノズルおよび第２の色のインクを吐出するための第２のノズルを有する記録ヘッドの記録位置調整方法において、
前記記録ヘッドにより、前記第１のノズルについて、往路方向の走査における記録位置に対する復路方向の走査における記録位置の相対的なずれを調整するための調整値を取得するためのパターンを記録媒体上に記録するパターン記録工程と、
前記記録媒体上に記録されたパターンの光学特性を光学センサにより検出する検出工程と、
前記光学センサの検出結果に基づいて、前記第１のノズルの前記調整値を設定する設定工程とを有し、
前記光学センサによる前記第１の色のインクの検出精度は所定の検出精度以上であり、
前記光学センサによる前記第２の色のインクの検出精度は前記所定の検出精度未満であり、
前記設定工程において、前記第２のノズルの前記調整値を前記第１のノズルの前記調整値で代用することを特徴とする記録位置調整方法。
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
シリアルデータを受け取るシフトレジスタを含む多出力回路と、Ｍ個の出力ドライバと、を備えるドライバ回路であって、
前記シフトレジスタは、前記シリアルデータを第１の方向の一端より他端に転送するＮ（３≦Ｎ、Ｎ＜Ｍ）個のフリップフロップを含み、前記Ｎ個のフリップフロップのそれぞれは、対応する１つの単位回路に含まれ、
前記Ｎ個の単位回路のそれぞれの前記第１の方向の長さは、Ｗ１であり、前記Ｎ個の単位回路のそれぞれの前記第１の方向と直交する第２の方向の長さは、Ｌ１であり、
前記Ｎ個の単位回路のうち、Ｌ（Ｎ／２≦Ｌ≦Ｎ−１）個の単位回路は、前記第１の方向にて隣接する第１の列上の所与の領域に配置され、（Ｎ−Ｌ）個の単位回路は、前記第１の列に平行な第２列に配置され、
前記所与の領域で、Ｎ個の単位回路が互いに隣接して配置されることを想定したとき、前記想定される単位回路の前記第１および第２の方向の長さは、それぞれ、Ｗ０およびＬ０であり、
Ｌ１＜Ｌ０およびＷ１＞Ｗ０の関係式が満たされ、
さらに、前記第１の列に配置される前記Ｌ個の単位回路および前記第２列に配置される前記（Ｎ−Ｌ）個の単位回路中の各１つの単位回路と、前記各１つの単位回路に対応する各１つの出力ドライバとは、それぞれ、１つの信号線で接続され、
前記Ｎ個の信号線のそれぞれは、各１つの信号線を含む方形の領域内に配置され、前記Ｎ個の方形の領域は、互いに重ならない、ドライバ回路。
【請求項２】
請求項１において、
前記Ｍ個の出力ドライバは、前記第１の列と平行であって、かつ、前記第１の列に対して前記第２の方向にて配置される前記第２の列とは反対側に配置される第３の列にて、互いに隣接して配置される、ドライバ回路。
【請求項３】
請求項２において、
それぞれが、前記第１の列に配置され、かつ、互いに接続される複数の電源パッドを、
さらに備え、
前記複数の電源パッドのそれぞれは、前記Ｍ個の出力ドライバの少なくとも１つに接続される、ドライバ回路。
【請求項４】
請求項３において、
前記複数の電源パッドの中の１つの電源パッドは、前記Ｌ個の単位回路の一端に配置される、ドライバ回路。
【請求項５】
請求項４において、
前記第１の列にて隣接して配置される前記Ｌ個の前記単位回路の一端に配置される前記電源パッドの前記第２の方向の長さは、ＬＧであり、Ｌ１≧ＬＧの関係式を満たすドライバ回路。
【請求項６】
請求項５において、
前記（Ｎ−Ｌ）個の単位回路とともに、前記第２の列に配置される入出力回路を、
さらに備え、
前記入出力回路は、外部からの信号に基づいて、前記Ｍ個の単位回路を制御し、前記信号を外部に出力する、ドライバ回路。
【請求項７】
請求項６において、
前記電源パッドおよび前記入出力回路が前記第２の方向に占める長さは、Ｌ２であり、
前記Ｌ個の単位回路および前記（Ｎ−Ｌ）個の単位回路が前記第２の方向に占める長さは、Ｌ３であり、
Ｌ２≧Ｌ３の関係式を満たすドライバ回路。
【請求項８】
請求項１乃至７のいずれかにおいて、
前記Ｎ個の方形の領域は、前記Ｍ個の出力ドライバと前記Ｌ個の単位回路との間に存在する、ドライバ回路。
【請求項９】
請求項８において、
前記Ｎ個の方形の領域のそれぞれにおいて、前記Ｎ個の信号線のそれぞれは、曲部を有しない、または、２つの曲部を有する、ドライバ回路。
【請求項１０】
請求項１乃至９のいずれかにおいて、
前記（Ｎ−Ｌ）個の単位回路とともに、前記第２の列に配置される入力パッドおよび出力パッドを、
さらに備えるドライバ回路。
【請求項１１】
請求項１乃至１０のいずれかにおいて、
前記Ｌ個の単位回路の中の少なくとも１つの単位回路と、前記少なくとも１つの単位回路に対して前記第２の方向にて隣接する、前記（Ｎ−Ｌ）個の単位回路中の少なくとも１つの単位回路は、前記第１の方向に平行な軸に対して、ミラー配置される、ドライバ回路。
【請求項１２】
請求項１１において、
前記Ｌ個の単位回路の中の少なくとも１つの単位回路が形成される第１の不純物拡散領域は、第１の第１導電型不純物領域と第１の第２導電型不純物領域とを含み、
前記少なくとも１つの単位回路に対して前記第２の方向にて隣接する、前記（Ｎ−Ｌ）個の単位回路中の少なくとも１つの単位回路が形成される第２の不純物拡散領域は、第２の第１導電型不純物領域と第２の第２導電型不純物領域とを含み、
前記第１および第２の不純物拡散領域に関して、前記第１の方向の方向に平行な前記軸を基準として、同一の導電型不純物領域が、素子分離領域を介さず連続形成されている、ドライバ回路。
【請求項１３】
請求項１乃至１２のいずれかのドライバ回路からなるサーマルヘッドドライバ。
【請求項１４】
請求項１３のサーマルヘッドドライバを備えるサーマルヘッド。
【請求項１５】
請求項１乃至１２のいずれかのドライバ回路を備える電子機器。
【請求項１６】
請求項１乃至１２のいずれかのドライバ回路を含むプリンタ装置を備える印刷システム。
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
記録ヘッドを記録媒体に対して走査させて前記記録媒体に画像の記録を行う記録装置であって、
複数の走査記録で使用する画像データを保持する記録バッファと、
前記記録媒体における先の走査記録で記録される領域と次の走査記録で記録される領域との境界部分を含む所定の領域に関し、前記記録ヘッドの走査方向に分割された領域に対応する画像データを前記分割された領域毎に順に前記記録バッファから読み出す読み出し手段と、
前記読み出し手段により読み出された画像データに基づき記録するデータ量に関する情報を取得する取得手段と、
前記読み出し手段により読み出された画像データを１または複数のラスタごとに複数のグループに分けて、前記取得手段にて取得された情報に基づいて、前記グループ毎に異なる間引き率で間引く間引き手段と、
前記読み出し手段にて読み出された前記記録バッファの領域に、前記間引き手段にて間引かれた画像データを格納する格納手段と、
前記記録バッファに保持された画像データに基づいて記録を行う記録手段とを備えることを特徴とする記録装置。
【請求項２】
前記読み出し手段により読み出された画像データはインデックス形式の多値データであり、前記取得手段によって取得された前記多値データの前記データ量に関する情報に基づき、前記間引き手段はマスクパターンを用いて前記グループ単位で画像データの間引きを行うことを特徴とする請求項１に記載の記録装置。
【請求項３】
前記間引き手段は、前記複数のグループのうち間引きを行うグループを選択する選択手段を備えることを特徴とする請求項１に記載の記録装置。
【請求項４】
前記間引き手段は、前記選択手段が選択したグループに対応する画像データに対して、前記データ量に関する情報に基づき、予め用意された複数の異なるマスク率のマスクパターンを選択して間引きを行うことを特徴とする請求項３に記載の記録装置。
【請求項５】
前記間引き手段は、前記読み出し手段により読み出された前記分割された領域に対応する画像データを保持する間引きバッファを備えることを特徴とする請求項１に記載の記録装置。
【請求項６】
記録ヘッドを記録媒体に対して走査させて前記記録媒体に画像の記録を行う記録装置の制御方法であって、
前記記録媒体における先の走査記録で記録される領域と次の走査記録で記録される領域との境界部分を含む所定の領域に関し、前記記録ヘッドの走査方向に分割された領域に対応する画像データを前記分割された領域毎に順に記録バッファから読み出す読み出し工程と、
前記読み出し工程により読み出された画像データに基づき記録するデータ量に関する情報を取得する取得工程と、
前記読み出し工程により読み出された画像データを１または複数のラスタごとに複数のグループに分けて、前記取得工程にて取得された情報に基づいて、前記グループ毎に異なる間引き率で間引く間引き工程と、
前記読み出し工程にて読み出された前記記録バッファの領域に、前記間引き工程にて間引かれた画像データを格納する格納工程と、
前記記録バッファに保持された画像データに基づいて記録を行う記録工程とを備えることを特徴とする記録装置の制御方法。
【手続補正２】
【補正対象書類名】明細書
【補正対象項目名】００１４
【補正方法】変更
【補正の内容】
【００１４】
上記課題を解決するための本発明は、記録ヘッドを記録媒体に対して走査させて前記記録媒体に画像の記録を行う記録装置であって、複数の走査記録で使用する画像データを保持する記録バッファと、前記記録媒体における先の走査記録で記録される領域と次の走査記録で記録される領域との境界部分を含む所定の領域に関し、前記記録ヘッドの走査方向に分割された領域に対応する画像データを前記分割された領域毎に順に前記記録バッファから読み出す読み出し手段と、前記読み出し手段により読み出された画像データに基づき記録するデータ量に関する情報を取得する取得手段と、前記読み出し手段により読み出された画像データを１または複数のラスタごとに複数のグループに分けて、前記取得手段にて取得された情報に基づいて、前記グループ毎に異なる間引き率で間引く間引き手段と、前記読み出し手段にて読み出された前記記録バッファの領域に、前記間引き手段にて間引かれた画像データを格納する格納手段と、前記記録バッファに保持された画像データに基づいて記録を行う記録手段とを備えることを特徴とする。
【手続補正３】
【補正対象書類名】明細書
【補正対象項目名】００１５
【補正方法】変更
【補正の内容】
【００１５】
また、上記課題を解決するための別の本発明は、記録ヘッドを記録媒体に対して走査させて前記記録媒体に画像の記録を行う記録装置の制御方法であって、前記記録媒体における先の走査記録で記録される領域と次の走査記録で記録される領域との境界部分を含む所定の領域に関し、前記記録ヘッドの走査方向に分割された領域に対応する画像データを前記分割された領域毎に順に記録バッファから読み出す読み出し工程と、前記読み出し工程により読み出された画像データに基づき記録するデータ量に関する情報を取得する取得工程と、前記読み出し工程により読み出された画像データを１または複数のラスタごとに複数のグループに分けて、前記取得工程にて取得された情報に基づいて、前記グループ毎に異なる間引き率で間引く間引き工程と、前記読み出し工程にて読み出された前記記録バッファの領域に、前記間引き工程にて間引かれた画像データを格納する格納工程と、前記記録バッファに保持された画像データに基づいて記録を行う記録工程とを備えることを特徴とする。
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
操舵部材に連なる入力軸および転舵輪に連なる出力軸を連結した差動機構と、
差動機構の所定の構成要素の外周に近接して設けられた潤滑剤飛散防止用カバーと、を備え、
上記差動機構は遊星伝達機構を含み、
上記遊星伝達機構は、入力軸に連なる第１の太陽要素と、出力軸に連なる第２の太陽要素と、第１および第２の太陽要素の双方に回転伝達可能に係合する遊星要素と、遊星要素を自転可能且つ上記第１および第２の太陽要素の回りに公転可能に保持するキャリアと、を含み、
上記潤滑剤飛散防止用カバーは、所定の構成要素としての第１の太陽要素、第２の太陽要素および遊星要素の外周を連続的に取り囲む環状の薄板を含み、
上記キャリアに上記潤滑剤飛散防止用カバーが設けられ、
上記キャリアは、潤滑剤飛散防止用カバーの一対の端部のそれぞれに配置された一対の端壁を含み、
上記潤滑剤飛散防止用カバーおよび一対の端壁で区画された空間に、第１の太陽要素、第２の太陽要素および遊星要素が収容されていることを特徴とする車両用操舵装置。
【手続補正２】
【補正対象書類名】明細書
【補正対象項目名】０００６
【補正方法】変更
【補正の内容】
【０００６】
上記目的を達成するため、本発明は、操舵部材（２）に連なる入力軸（１３）および転舵輪（４Ｌ，４Ｒ）に連なる出力軸（１４）を連結した差動機構（１９）と、差動機構の所定の構成要素（２１，２２，２３）の外周に近接して設けられた潤滑剤飛散防止用カバー（５６）と、を備え、上記差動機構は遊星伝達機構（１９）を含み、上記遊星伝達機構は、入力軸に連なる第１の太陽要素（２１）と、出力軸に連なる第２の太陽要素（２２）と、第１および第２の太陽要素の双方に回転伝達可能に係合する遊星要素（２３）と、遊星要素を自転可能且つ上記第１および第２の太陽要素の回りに公転可能に保持するキャリア（２４）と、を含み、上記潤滑剤飛散防止用カバーは、所定の構成要素としての第１の太陽要素、第２の太陽要素および遊星要素の外周を連続的に取り囲む環状の薄板を含み、上記キャリアに上記潤滑剤飛散防止用カバーが設けられ、上記キャリアは、潤滑剤飛散防止用カバーの一対の端部のそれぞれに配置された一対の端壁（５３，５４）を含み、上記潤滑剤飛散防止用カバーおよび一対の端壁で区画された空間（７７）に、第１の太陽要素、第２の太陽要素および遊星要素が収容されていることを特徴とする車両用操舵装置（１）を提供するものである（請求項１）。
【手続補正３】
【補正対象書類名】明細書
【補正対象項目名】０００７
【補正方法】変更
【補正の内容】
【０００７】
本発明によれば、差動機構の所定の構成要素に与えられた潤滑剤が飛散することを、潤滑剤飛散防止用カバーで防止することができる。これにより、差動機構の潤滑を長期間に亘って維持することができる。
【手続補正４】
【補正対象書類名】明細書
【補正対象項目名】０００８
【補正方法】変更
【補正の内容】
【０００８】
具体的には、第１の太陽要素、第２の太陽要素および遊星要素に与えられた潤滑剤が飛散することを防止でき、これらの各要素の潤滑を長期に亘って良好に行うことができる。また、潤滑剤飛散防止用カバーを薄板に形成した結果このカバーを軽量にでき、また、カバーが各上記要素の外周を全周に亘って取り囲むことにより潤滑剤の飛散をより確実に防止できる。
【手続補正５】
【補正対象書類名】明細書
【補正対象項目名】０００９
【補正方法】変更
【補正の内容】
【０００９】
また、キャリアに上記潤滑剤飛散防止用カバーが設けられていることで、潤滑剤飛散防止用カバーを、第１および第２の太陽要素や遊星要素の外周により近接して配置することができ、潤滑剤の飛散をより確実に防止できる。また、潤滑剤飛散防止用カバーをより小型にできる。具体的には、仮に、潤滑剤飛散防止用カバーを、キャリアを支持するハウジング等に設けた場合には、このカバーが遊星要素に接触しないようにするために、カバーを遊星要素の公転軌道の外側に配置する必要がある。一方、本発明のように、潤滑剤飛散防止用カバーをキャリアに設けた場合、カバーが遊星要素とともに第１および第２の太陽要素の回りを回転するので、カバーを遊星要素の公転軌道内に配置できる。
【手続補正６】
【補正対象書類名】明細書
【補正対象項目名】００１０
【補正方法】変更
【補正の内容】
【００１０】
また、潤滑剤飛散防止用カバーおよび一対の端壁で区画された空間に、第１の太陽要素、第２の太陽要素および遊星要素が収容されている。これにより、潤滑剤が上記空間の外側に飛散することを防止でき、各上記要素の潤滑をより確実に維持できる。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、
可動片を有し、該可動片が動作したときにのみ内部領域への遊技球の進入が可能となる機械抽選装置と、
前記遊技領域に打ち込まれた遊技球を受け入れ可能な始動口と、
前記始動口に遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、を備え、
前記機械抽選装置の内部領域には、該内部領域に進入した遊技球を一般領域と特定領域とのいずれかに振り分ける抽選機構が設けられてなり、該抽選機構により前記特定領域に遊技球が振り分けられたとき、遊技者に特典が付与される遊技機において、
前記始動口への遊技球の入球確率が高くなるように動作可能な可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
前記遊技領域に打ち込まれた遊技球の流下方向に変化を与える規制手段と、
を備え、
前記遊技領域は、遊技球を打ち分け可能な右遊技領域と左遊技領域とを有するものであり、
前記始動口は、
前記左遊技領域に打ち分けられた遊技球を、前記ゲート当たりに応じた前記可動部材の動作にかかわらず常に受け入れ可能な高始動率始動口、
前記右遊技領域に打ち分けられた遊技球を、前記ゲート当たりに応じた前記可動部材の動作があったときにのみ受け入れ可能な低始動率始動口、
を有して構成されるものであり、
前記駆動制御手段は、
前記高始動率始動口に遊技球が入球されたことに応じて前記始動当たりが当選されたときに前記機械抽選装置の内部領域への遊技球の進入が可能となる第１の開放時間の期待値が所定時間未満となるように前記可動片の駆動制御を行う第１の駆動制御手段、及び
前記低始動率始動口に遊技球が入球されたことに応じて前記始動当たりが当選されたときに前記機械抽選装置の内部領域への遊技球の進入が可能となる第２の開放時間の期待値が前記所定時間以上となるように前記可動片の駆動制御を行う第２の駆動制御手段、
を有するものであり、
前記抽選機構は、
前記可動片の駆動制御があったときから予め定められた一定の動作を開始する定動作装置、及び
前記機械抽選装置の内部領域に進入した遊技球を前記定動作装置へと流下させる内部流下経路、
を有し、前記定動作装置が、
前記内部流下経路に対して前記一般領域へと通じる流下経路が接続される動作であって前記可動片の駆動制御があったときから前記所定時間が経過するまでの期間中に行われる前半動作と、
前記内部流下経路に対して前記特定領域へと通じる流下経路が接続される動作であって前記可動片の駆動制御があったときから前記所定時間が経過した後の期間中に行われる後半動作と、
を前記可動片の駆動制御があったときから予め定められた一定の動作として順次開始することで、前記内部領域に進入した遊技球を前記一般領域と前記特定領域とのいずれかに振り分けるものであり、
前記規制手段は、
前記左遊技領域に打ち分けられた遊技球の流下方向を変化させてそれら遊技球を前記高始動率始動口へと通じる流下経路と、前記ゲート手段へと通じる流下経路とのいずれかに振り分けるようにした
ことを特徴とする遊技機。
【請求項２】
前記特典の付与は、遊技者に対して遊技球が払い出されうる大当たり遊技の実行である
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、
可動片を有し、該可動片が動作したときにのみ内部領域への遊技球の進入が可能となる機械抽選装置と、
前記遊技領域に設けられる可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
前記遊技領域に打ち込まれた遊技球に対して常に開放された受入口を有する第１の始動口と、
前記遊技領域に打ち込まれた遊技球を、前記ゲート当たりに応じた前記可動部材の動作があったときにのみ受け入れ可能な第２の始動口と、
前記第１の始動口及び前記第２の始動口のいずれかに遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、
前記機械抽選装置の内部領域にて、該内部領域に進入した遊技球を一般領域と特定領域とのいずれかに振り分ける振分装置と、
前記振分装置により前記特定領域に遊技球が振り分けられたとき、遊技者に特典を付与する特典付与手段と、を備え、
前記振分装置は、
前記機械抽選装置の内部領域に進入した遊技球のうち、該内部領域に特定のタイミングにて進入した遊技球を前記特定領域に振り分けるものであり、
前記駆動制御手段は、
前記第１の始動口及び前記第２の始動口のうちの前記第２の始動口に遊技球が入球されたことに応じて前記始動当たりが当選されたときに限っては、前記可動片が動作するときの動作期間内に前記特定のタイミングが必ず含まれるように前記可動片の駆動制御を行うようにした
ことを特徴とする遊技機。
【請求項２】
前記特典の付与は、遊技者に対して遊技球が払い出されうる大当たり遊技の実行である
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、
可動片を有し、該可動片が動作したときにのみ内部領域への遊技球の進入が可能となる機械抽選装置と、
前記遊技領域に打ち込まれた遊技球を受け入れ可能な始動口と、
前記始動口に遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、を備え、
前記機械抽選装置の内部領域には、該内部領域に進入した遊技球を一般領域と特定領域とのいずれかに振り分ける抽選機構が設けられてなり、該抽選機構により前記特定領域に遊技球が振り分けられたとき、遊技者に特典が付与される遊技機において、
前記始動口への遊技球の入球確率が高くなるように動作可能な可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
を備え、
前記始動口は、
前記遊技領域に打ち込まれた遊技球を、前記可動部材の動作にかかわらず常に受け入れ可能な高始動率始動口、及び
前記遊技領域に打ち込まれた遊技球を、前記ゲート当たりに応じた前記可動部材の動作があったときにのみ受け入れ可能な低始動率始動口、
を有して構成されるものであり、
前記駆動制御手段は、
前記高始動率始動口に遊技球が入球されたことに応じて前記始動当たりが当選されたときに前記機械抽選装置の内部領域への遊技球の進入が可能となる第１の開放時間の期待値が所定時間未満となるように前記可動片の駆動制御を行う第１の駆動制御手段、及び
前記低始動率始動口に遊技球が入球されたことに応じて前記始動当たりが当選されたときに前記機械抽選装置の内部領域への遊技球の進入が可能となる第２の開放時間の期待値が前記所定時間以上となるように前記可動片の駆動制御を行う第２の駆動制御手段、
を有するものであり、
前記抽選機構は、
前記可動片の駆動制御があったときから前記所定時間が経過したにもかかわらず前記一般領域と前記特定領域とのいずれにも未だ振り分けられていない遊技球があるときは、該遊技球を前記特定領域に必ず振り分けるようにした
ことを特徴とする遊技機。
【請求項２】
前記特典の付与は、遊技者に対して遊技球が払い出されうる大当たり遊技の実行である
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
遊技機前方に開放された筐体と、
遊技に際し絵柄を変動表示する絵柄表示装置をユニット本体に搭載した表示ユニットとを備え、
前記表示ユニットが前記筐体内に着脱自在に設けられた遊技機であって、
前記筐体の背面部の内側に筐体側コネクタを設け、
前記ユニット本体において前記筐体の背面部に対向する部位に、前記表示ユニットの前記筐体内への装着完了に伴い前記筐体側コネクタに結合されるユニット側コネクタを設け、
前記筐体側コネクタ及び前記ユニット側コネクタの少なくともいずれかを可動コネクタとしてコネクタ支持部材により移動可能な状態で支持し、
前記コネクタ支持部材によって、前記可動コネクタにおけるコネクタ結合方向への移動を制限し且つ同コネクタ結合方向に対して直交する方向への移動を同コネクタ支持部材との間に形成された空隙の範囲内で可能としたことを特徴とする遊技機。
【請求項２】
前記可動コネクタ及びそれを支持する前記コネクタ支持部材のいずれか一方に設けられ、前記コネクタの結合方向に延びる軸部と、
前記可動コネクタ及び前記コネクタ支持部材の他方に前記軸部を挿通可能に設けられ、前記軸部の外形寸法よりも大きな開口を有する開口部と
を備え、
前記軸部と前記開口部との間に前記可動コネクタの移動可能範囲として前記空隙が形成されるように構成したことを特徴とする請求項１に記載の遊技機。
【請求項３】
前記軸部及び前記開口部について、前記コネクタ支持部材側に設けられた一方に対して前記可動コネクタ側に設けられた他方が鉛直方向に移動可能となる全範囲のうち、その鉛直方向に移動可能な可動コネクタ側部位が同可動コネクタの自重により最低位となる最低位位置を含む鉛直方向所定範囲において、前記可動コネクタ側部位が水平方向に移動可能となる範囲を前記最低位位置に近づくほど小さくしたことを特徴とする請求項２に記載の遊技機。
【請求項４】
前記筐体側コネクタ及び前記ユニット側コネクタの一方を可動コネクタ、他方を固定コネクタとし、
当該固定コネクタ側に、前記ユニット本体の筐体への装着に伴い前記可動コネクタの結合位置への移動を誘導する誘導部材を設け、
前記誘導部材を、少なくとも前記固定コネクタの下側において、対向する前記可動コネクタに向かって同固定コネクタから突出するように構成したことを特徴とする請求項１乃至請求項３のいずれか１つに記載の遊技機。
【請求項５】
前記可動コネクタにおいてその結合先端側と反対側の少なくとも一部が、同可動コネクタが取り付けられる前記筐体の背面部、又は同じく同可動コネクタが取り付けられる前記ユニット本体の背板部に当接するように構成したことを特徴とする請求項１乃至請求項４のいずれか１つに記載の遊技機。
【手続補正書】
【提出日】平成22年4月2日(2010.4.2)
【手続補正１】
【補正対象書類名】特許請求の範囲
【補正対象項目名】請求項４
【補正方法】変更
【補正の内容】
【請求項４】
走行機体に装着され、該走行機体の進行によって進行方向前方側に向けて押し倒された残幹に対して該残幹の根部を掘り起こす掘起装置と、該掘起装置によって掘り起こされた残幹に対して処理を施す切断装置を備え、
前記切断装置は、前記掘起装置によって掘り起こされた残幹の根部を該根部側から引き込んで搬送する一対の搬送ローラと、該一対の搬送ローラよりも搬送方向下流側に回転自在に支持された回転駆動軸に放射状に取り付けられた複数の切断刃と、該複数の切断刃の両側方に設けられた一対のブロワと、該一対のブロワの幅方向外側端部間の距離と略同一幅を有し、前記複数の切断刃によって残幹を細断するのと略同時に前記一対のブロワにより放出される残幹の断片を誘導して所望の方向に放出するシュータを有することを特徴とする残幹処理装置。
【手続補正２】
【補正対象書類名】明細書
【補正対象項目名】０００８
【補正方法】変更
【補正の内容】
【０００８】
また切断ロータ７３によって細断された残幹Ｚの断片は、切断ロータ７３の回転に伴って発生する空気の流れによってブロワ７５側に移動するようになっているが、搬送ローラ２１，２２によって残幹Ｚが搬送される際に、残幹Ｚに付着した土が十分に落とされないままの残幹Ｚが切断ロータ７３に搬送されると、質量が大きい土によって、細断された断片のブロワ７５側への移動が邪魔されて、切断ロータ７３の周辺に断片が詰まる場合があった。
【手続補正３】
【補正対象書類名】明細書
【補正対象項目名】００１５
【補正方法】変更
【補正の内容】
【００１５】
この特徴によれば、複数の切断刃の各先端部が回転駆動軸の軸方向中央振り分けでブロワ側に屈曲していることで、切断刃によって切断された断片や混入した土は、回転駆動軸の軸方向中央を境にして軸方向両側に略均等に分かれてブロワ側に移動する。このため、ブロワは、複数の切断刃によって同時期に細断した断片の半分の量をシュータ側に吹き出せばよいので、ブロワの吹き出し性能が向上して切断装置内に断片が詰まる事態をより効果的に防止することができる。
【手続補正４】
【補正対象書類名】明細書
【補正対象項目名】００１６
【補正方法】変更
【補正の内容】
【００１６】
また特徴の一つは、走行機体に装着され、該走行機体の進行によって進行方向前方側に向けて押し倒された残幹に対して該残幹の根部を掘り起こす掘起装置と、該掘起装置によって掘り起こされた残幹に対して処理を施す切断装置を備え、切断装置は、掘起装置によって掘り起こされた残幹の根部を該根部側から引き込んで搬送する一対の搬送ローラと、該一対の搬送ローラよりも搬送方向下流側に回転自在に支持された回転駆動軸に放射状に取り付けられた複数の切断刃と、該複数の切断刃の両側方に設けられた一対のブロワと、該一対のブロワの幅方向外側端部間の距離と略同一幅を有し、複数の切断刃によって残幹を細断するのと略同時に一対のブロワにより放出される残幹の断片を誘導して所望の方向に放出するシュータを有した残幹処理装置であることを特徴とする。
【手続補正書】
【提出日】平成22年3月10日(2010.3.10)
【手続補正１】
【補正対象書類名】明細書
【補正対象項目名】００３６
【補正方法】変更
【補正の内容】
【００３６】
次いで、１０倍ずつの系列希釈を行って、それぞれをＴＳＣ平板培地、ＴＯＳプロピオン酸寒天培地及びＲｏｇｏｓａ平板培地（表４参照）に塗布して、また、検体の１０倍希釈液を１ｍｌ取って、未凝固のＴＳＣ平板培地７ｍｌ（約５５℃）に加えて、検体希釈液と培地を均等混合し、これを第一層のＴＳＣ平板培地上に載せて凝固させた。なお、嫌気性菌である乳酸菌が酸素との接触で死滅するのを防ぐため、以上の操作は全て３０分以内に完成させた。
【手続補正２】
【補正対象書類名】明細書
【補正対象項目名】００３９
【補正方法】変更
【補正の内容】
【００３９】
クロストリディウム・パーフリンゲンス、ラクトバチルス属及びビフィドバクテリウム属を計数対象とした。クロストリディウム・パーフリンゲンスは、ＴＳＣ平板培地上に黒いコロニーを形成し、コロニー周囲に透明の輪を形成したものを計数した。また、ラクトバチルス属は、鏡検によって数個のサンプルの菌株形態を確認後、ＴＯＳプロピオン酸寒天培地及びＲｏｇｏｓａ平板培地において、直接培地上のコロニー数を計数した。ビフィドバクテリウム属は、平板培地上の全てのコロニーを選び出し、鏡検によってコロニー数を計数した。その結果を表５に示す。なお、クロストリディウム・パーフリンゲンスについては、サンプルからこの菌を培養することができなかったため、各組の差異を判断することはできなかった。この原因は、ＳＤ系ラットの腸管中にこの菌株の存在量が非常に少ないためと考えられる。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
哺乳動物から採取したＲＮＡ含有試料における、センスＲＮＡに対する相対的発現が癌特異的に変動する内在性アンチセンスＲＮＡを測定することを含む、癌診断のための検査方法。
【請求項２】
センスＲＮＡの発現を測定することをさらに含む、請求項１記載の方法。
【請求項３】
内在性アンチセンスＲＮＡが以下の（Ｃ１）〜（Ｃ１５）および（Ｈ１）〜（Ｈ１２）から選択される、請求項１または２記載の方法。
（Ｃ１）配列番号１に示される塩基配列と同一もしくは実質的に同一の塩基配列を含む、哺乳動物のＣＤＫ４遺伝子に対する内在性アンチセンスＲＮＡ
（Ｃ２）配列番号２に示される塩基配列と同一もしくは実質的に同一の塩基配列を含む、哺乳動物のＭＡＰＫ９遺伝子に対する内在性アンチセンスＲＮＡ
（Ｃ３）配列番号３に示される塩基配列と同一もしくは実質的に同一の塩基配列を含む、哺乳動物のカドヘリン１３遺伝子に対する内在性アンチセンスＲＮＡ
（Ｃ４）配列番号４に示される塩基配列と同一もしくは実質的に同一の塩基配列を含む、哺乳動物のサイクリンＢ１遺伝子に対する内在性アンチセンスＲＮＡ
（Ｃ５）配列番号５に示される塩基配列と同一もしくは実質的に同一の塩基配列を含む、哺乳動物のｐＬＫ遺伝子に対する内在性アンチセンスＲＮＡ
（Ｃ６）配列番号６に示される塩基配列と同一もしくは実質的に同一の塩基配列を含む、哺乳動物のＲＨＡＭＭ遺伝子に対する内在性アンチセンスＲＮＡ
（Ｃ７）配列番号７に示される塩基配列と同一もしくは実質的に同一の塩基配列を含む、哺乳動物のβ３−エンドネキシン遺伝子に対する内在性アンチセンスＲＮＡ
（Ｃ８）配列番号８に示される塩基配列と同一もしくは実質的に同一の塩基配列を含む、哺乳動物のＢＲＣＡ２遺伝子に対する内在性アンチセンスＲＮＡ
（Ｃ９）配列番号９に示される塩基配列と同一もしくは実質的に同一の塩基配列を含む、哺乳動物のＢＲＣＡ２遺伝子に対する内在性アンチセンスＲＮＡ
（Ｃ１０）配列番号１０に示される塩基配列と同一もしくは実質的に同一の塩基配列を含む、哺乳動物のＢＢＰ／５３ＢＰ２遺伝子に対する内在性アンチセンスＲＮＡ
（Ｃ１１）配列番号１１に示される塩基配列と同一もしくは実質的に同一の塩基配列を含む、哺乳動物のタイプＩＶコラーゲンα３遺伝子に対する内在性アンチセンスＲＮＡ
（Ｃ１２）配列番号１２に示される塩基配列と同一もしくは実質的に同一の塩基配列を含む、哺乳動物のＭＭＰ１１遺伝子に対する内在性アンチセンスＲＮＡ
（Ｃ１３）配列番号１３に示される塩基配列と同一もしくは実質的に同一の塩基配列を含む、哺乳動物のＰ−カドヘリン遺伝子に対する内在性アンチセンスＲＮＡ
（Ｃ１４）配列番号１４に示される塩基配列と同一もしくは実質的に同一の塩基配列を含む、哺乳動物のＰ−カドヘリン遺伝子に対する内在性アンチセンスＲＮＡ
（Ｃ１５）配列番号１５に示される塩基配列と同一もしくは実質的に同一の塩基配列を含む、哺乳動物のＰ−カドヘリン遺伝子に対する内在性アンチセンスＲＮＡ
（Ｈ１）配列番号１６に示される塩基配列と同一もしくは実質的に同一の塩基配列を含む、哺乳動物のＭＡＰＫ７遺伝子に対する内在性アンチセンスＲＮＡ
（Ｈ２）配列番号１７に示される塩基配列と同一もしくは実質的に同一の塩基配列を含む、哺乳動物のＦＧＦＲ４遺伝子に対する内在性アンチセンスＲＮＡ
（Ｈ３）配列番号１８に示される塩基配列と同一もしくは実質的に同一の塩基配列を含む、哺乳動物のトロンボスポンジン２遺伝子に対する内在性アンチセンスＲＮＡ
（Ｈ４）配列番号３に示される塩基配列と同一もしくは実質的に同一の塩基配列を含む、哺乳動物のカドヘリン１３遺伝子に対する内在性アンチセンスＲＮＡ
（Ｈ５）配列番号１９に示される塩基配列と同一もしくは実質的に同一の塩基配列を含む、哺乳動物のカドヘリン１３遺伝子に対する内在性アンチセンスＲＮＡ
（Ｈ６）配列番号２０に示される塩基配列と同一もしくは実質的に同一の塩基配列を含む、哺乳動物のカドヘリン１３遺伝子に対する内在性アンチセンスＲＮＡ
（Ｈ７）配列番号２１に示される塩基配列と同一もしくは実質的に同一の塩基配列を含む、哺乳動物のＰＣＮＡ遺伝子に対する内在性アンチセンスＲＮＡ
（Ｈ８）配列番号２２に示される塩基配列と同一もしくは実質的に同一の塩基配列を含む、哺乳動物のＰＤＧＦＲ遺伝子に対する内在性アンチセンスＲＮＡ
（Ｈ９）配列番号２３に示される塩基配列と同一もしくは実質的に同一の塩基配列を含む、哺乳動物のサイクリンＢ１遺伝子に対する内在性アンチセンスＲＮＡ
（Ｈ１０）配列番号２４に示される塩基配列と同一もしくは実質的に同一の塩基配列を含む、哺乳動物のＥＲＣＣ３遺伝子に対する内在性アンチセンスＲＮＡ
（Ｈ１１）配列番号２５に示される塩基配列と同一もしくは実質的に同一の塩基配列を含む、哺乳動物のＣＤ３４抗原遺伝子に対する内在性アンチセンスＲＮＡ
（Ｈ１２）配列番号２６に示される塩基配列と同一もしくは実質的に同一の塩基配列を含む、哺乳動物のインテグリンα６遺伝子に対する内在性アンチセンスＲＮＡ
【請求項４】
前記（Ｃ１）〜（Ｃ１５）および（Ｈ１）〜（Ｈ１２）から選択される内在性アンチセンスＲＮＡとハイブリダイズし得る塩基配列を含む核酸を含有してなる、癌診断薬。
【請求項５】
内在性アンチセンスＲＮＡが（Ｃ１）〜（Ｃ１５）から選択される、大腸癌診断のための請求項４記載の診断薬。
【請求項６】
内在性アンチセンスＲＮＡが（Ｈ１）〜（Ｈ１２）から選択される、肝臓癌診断のための請求項４記載の診断薬。
【請求項７】
前記（Ｃ１）〜（Ｃ１５）および（Ｈ１）〜（Ｈ１２）から選択される１以上の内在性アンチセンスＲＮＡと、それぞれハイブリダイズし得る塩基配列を含む固相化された１以上の核酸を含有するマイクロアレイ。
【請求項８】
内在性アンチセンスＲＮＡが（Ｃ１）〜（Ｃ１５）から選択される、大腸癌診断のための請求項７記載のマイクロアレイ。
【請求項９】
内在性アンチセンスＲＮＡが（Ｈ１）〜（Ｈ１２）から選択される、肝臓癌診断のための請求項７記載のマイクロアレイ。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
マグネットを有するロータと、第１のコイル、第２のコイル、および前記マグネットの位置を検出する第１および第２の位置検出手段を備え、前記ロータを回転自在に支持するステータとによって構成されるモータに対し、
前記第１のコイルおよび前記第２のコイルに通電する電流を順次切り替えることによって前記ロータを回転させるモータ駆動装置であって、
前記第１の位置検出手段から得られる信号に第１の係数ａ１を乗算した信号と、前記第２の位置検出手段から得られる信号に第２の係数ａ２を乗算した信号とを加算して第１の進角信号を生成し、
前記第１の位置検出手段から得られる信号に第３の係数ｂ１を乗算した信号と、前記第２の位置検出手段から得られる信号に第４の係数ｂ２を乗算した信号とを加算して第２の進角信号を生成する進角合成手段と、
前記第１の進角信号によって前記第１のコイルへの通電を切り替え、前記第２の進角信号によって前記第２のコイルへの通電を切り替える制御手段とを備えたことを特徴とするモータ駆動装置。
【請求項２】
前記第１の位置検出手段から得られる信号は正弦波の信号であり、前記第２の位置検出手段から得られる信号は余弦波の信号であり、
前記第１の係数ａ１、前記第２の係数ａ２、前記第３の係数ｂ１および前記第４の係数ｂ２は、それぞれ増幅度Ａおよび進角αを用いて、ａ１＝Ａ ｃｏｓα、ａ２＝Ａ ｓｉｎα、ｂ１＝−Ａ ｓｉｎα、ｂ２＝Ａ ｃｏｓαで表されることを特徴とする請求項１記載のモータ駆動装置。
【請求項３】
前記第１の係数ａ１、前記第２の係数ａ２、前記第３の係数ｂ１および前記第４の係数ｂ２は、前記ロータの回転速度に応じて変化することを特徴とする請求項１または２記載のモータ駆動装置。
【請求項４】
マグネットを有するロータと、第１のコイル、第２のコイル、および前記マグネットの位置を検出する位置検出手段を備え、前記ロータを回転自在に支持するステータとによって構成されるモータに対し、
前記第１のコイルおよび前記第２のコイルに通電する電流を順次切り替えることによって前記ロータを回転させるモータ駆動装置であって、
前記位置検出手段から得られる信号の電圧と第１の閾値とを比較し、前記電圧と前記第１の閾値より高い第２の閾値とを比較する比較手段と、
前記電圧が前記第１の閾値を超えたとき、および前記閾値が前記第２の閾値より下がったとき、前記第１のコイルおよび前記第２のコイルへの通電を切り替える制御手段とを備えたことを特徴とするモータ駆動装置。
【請求項５】
前記ロータの電気角θおよび進角αを用い、前記位置検出手段から得られる信号をｆ（θ）とすると、前記第１の閾値はｆ（−α）であり、前記第２の閾値はｆ（α）であることを特徴とする請求項４記載のモータ駆動装置。
【請求項６】
前記第１の閾値および前記第２の閾値は、前記ロータの回転速度に応じて変化することを特徴とする請求項４記載のモータ駆動装置。
【請求項７】
前記位置検出手段は、前記マグネットの磁気を検出することを特徴とする請求項１乃至６のいずれかに記載のモータ駆動装置。
【手続補正２】
【補正対象書類名】明細書
【補正対象項目名】発明の名称
【補正方法】変更
【補正の内容】
【発明の名称】モータ駆動装置
【手続補正３】
【補正対象書類名】明細書
【補正対象項目名】０００１
【補正方法】変更
【補正の内容】
【０００１】
本発明は、モータに対し、第１のコイルおよび第２のコイルに通電する電流を順次切り替えることによってロータを回転させるモータ駆動装置に関する。
【手続補正４】
【補正対象書類名】明細書
【補正対象項目名】００１０
【補正方法】変更
【補正の内容】
【００１０】
そこで、本発明は、大きな負荷をかけることなく簡単な回路で進角信号を作り出すことができ、小型化・低コスト化を実現し、モータの高速回転が可能であるモータ駆動装置を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１７
【補正方法】変更
【補正の内容】
【００１７】
本発明のモータ駆動装置の実施の形態について図面を参照しながら説明する。本実施形態のモータ駆動装置はステッピングモータ制御装置に適用される。